(57)【要約】【課題】無線基地局間のシグナリングを用いた干渉制御により、セル間干渉の影響を軽減すること。【解決手段】本発明の無線通信システムでは、無線基地局が、無線フレーム内の上りサブフレームと下りサブフレームとの構成を示すＵＬ／ＤＬ構成を用いて、ユーザ端末と無線通信を行う。また、無線基地局が、前記ＵＬ／ＤＬ構成における固定サブフレーム及びフレキシブルサブフレームの干渉制御に用いられる干渉制御情報を決定する。また、無線基地局が、無線基地局間インタフェースを介して、前記干渉制御情報を隣接無線基地局に送信する。【選択図】図３５
2014236369.tif 000002
【特許請求の範囲】
【請求項１】
無線基地局間インタフェースを介して隣接無線基地局に接続される無線基地局であって、
無線フレーム内の上りサブフレームと下りサブフレームとの構成を示すＵＬ／ＤＬ構成を用いて、ユーザ端末と無線通信を行う無線通信部と、
前記ＵＬ／ＤＬ構成における固定サブフレーム及びフレキシブルサブフレームの干渉制御に用いられる干渉制御情報を決定する決定部と、
前記無線基地局間インタフェースを介して、前記干渉制御情報を前記隣接無線基地局に送信するインタフェース部と、を具備することを特徴とする無線基地局。
【請求項２】
前記干渉制御情報は、前記無線基地局が受ける干渉レベルを示す被干渉レベル情報と、前記フレキシブルサブフレームにおいて基地局間干渉が存在するか否かを示す基地局間干渉情報と、を含むことを特徴とする請求項１に記載の無線基地局。
【請求項３】
前記基地局間干渉情報は、前記固定サブフレームにおいて前記無線基地局が受ける干渉と前記フレキシブルサブフレームにおいて前記無線基地局が受ける干渉との変動レベルを示す変動レベル情報と、を含むことを特徴とする請求項２に記載の無線基地局。
【請求項４】
前記基地局間干渉情報は、前記被干渉レベル情報によって示される干渉レベルが、前記固定サブフレーム又は前記フレキシブルサブフレームのいずれの干渉レベルであるかを示すサブフレーム種別情報であることを特徴とする請求項２に記載の無線基地局。
【請求項５】
前記基地局間干渉情報は、前記被干渉レベル情報によって示される干渉レベルが、上り干渉又は下り干渉のいずれの干渉レベルであるかを示す干渉種別情報であることを特徴とする請求項２に記載の無線基地局。
【請求項６】
前記干渉制御情報は、前記無線基地局が与える干渉レベルを示す与干渉レベル情報と、前記与干渉レベル情報によって示される干渉レベルが、前記固定サブフレーム又は前記フレキシブルサブフレームのいずれの干渉レベルであるかを示すサブフレーム種別情報と、を含むことを特徴とする請求項１から請求項５のいずれかに記載の無線基地局。
【請求項７】
前記干渉制御情報は、前記ＵＬ／ＤＬ構成を動的に変更するダイナミックＴＤＤを適用する場合に、使用されるＵＬ／ＤＬ構成を示すＵＬ／ＤＬ構成情報であることを特徴とする請求項１から請求項６のいずれかに記載の無線基地局。
【請求項８】
前記干渉制御情報は、前記ＵＬ／ＤＬ構成を動的に変更するダイナミックＴＤＤをサポートするか否かを示すダイナミックＴＤＤサポート情報であることを特徴とする請求項１から請求項７のいずれかに記載の無線基地局。
【請求項９】
無線基地局が無線基地局間インタフェースを介して隣接無線基地局に接続される無線通信システムであって、
前記無線基地局が、
無線フレーム内の上りサブフレームと下りサブフレームとの構成を示すＵＬ／ＤＬ構成を用いて、ユーザ端末と無線通信を行う無線通信部と、
前記ＵＬ／ＤＬ構成における固定サブフレーム及びフレキシブルサブフレームの干渉制御に用いられる干渉制御情報を決定する決定部と、
前記無線基地局間インタフェースを介して、前記干渉制御情報を前記隣接無線基地局に送信するインタフェース部と、を具備し、
前記隣接無線基地局が、
前記無線基地局から前記干渉制御情報を受信するインタフェース部と、
前記干渉制御情報に基づいて、前記固定サブフレームと前記フレキシブルサブフレームとの干渉制御を行う干渉制御部と、
を具備することを特徴とする無線通信システム。
【請求項１０】
無線基地局間インタフェースを介して隣接無線基地局に接続される無線基地局における無線通信方法であって、
無線フレーム内の上りサブフレームと下りサブフレームとの構成を示すＵＬ／ＤＬ構成を用いて、ユーザ端末と無線通信を行う工程と、
前記ＵＬ／ＤＬ構成における固定サブフレーム及びフレキシブルサブフレームの干渉制御に用いられる干渉制御情報を決定する工程と、
前記無線基地局間インタフェースを介して、前記干渉制御情報を前記隣接無線基地局に送信する工程と、を有することを特徴とする無線通信方法。
【発明の詳細な説明】
【技術分野】
【０００１】
本発明は、時分割複信（ＴＤＤ）を用いた無線通信システムに適用可能な無線基地局、無線通信システム及び無線通信方法に関する。
【背景技術】
【０００２】
従来、無線通信システムにおける複信形式として、上りリンク（ＵＬ）と下りリンク（ＤＬ）を周波数で分割する周波数分割複信（ＦＤＤ）と、上りリンクと下りリンクを時間で分割する時間分割複信（ＴＤＤ）とが知られている（例えば、非特許文献１）。ＦＤＤでは、上り信号と下り信号とが、異なる周波数で送受信される。一方、ＴＤＤでは、上り信号と下り信号とが、異なる時間で送受信される。
【０００３】
また、ＬＴＥ（Long  Term  Evolution）など、ＴＤＤを用いた無線通信システムでは、無線フレーム内における上りサブフレームと下りサブフレームとの構成（比率）を示すＵＬ／ＤＬ構成（UL/DL  Configuration、UL-DL  Configuration）が規定される（図１参照）。例えば、図１では、上りサブフレームと下りサブフレームの構成を示す７つのＵＬ／ＤＬ構成０−６が示される。
【先行技術文献】
【非特許文献】
【０００４】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００５】
一般に、ＵＬ及びＤＬのトラヒックは非対称である。また、所定期間におけるＵＬ及びＤＬのトラヒック比は一定ではなく、時間的に、あるいは、場所的に変動する。このため、ＴＤＤを用いた無線通信システムでは、あるセル（送信ポイント、無線基地局）におけるＵＬ／ＤＬのリソース構成をトラヒック変動に応じて動的に変更することにより、無線リソースを有効利用することが望まれる。
【０００６】
そこで、ＬＴＥの後継のＬＴＥアドバンスト（ＬＴＥ−Ａ）など、ＴＤＤを用いた将来の無線通信システムでは、トラヒック適応ゲインを得るために、図１に示すＵＬ／ＤＬ構成を動的に変更すること（ダイナミックＴＤＤ）が検討されている。
【０００７】
一方、ダイナミックＴＤＤでは、隣接する無線基地局間で異なるＵＬ／ＤＬ構成が用いられる場合、当該無線基地局間で伝送方向が異なるサブフレームにおいて、セル間干渉（Inter-cell  Interference）が発生することが想定される。このセル間干渉による影響を軽減するため、当該無線基地局間のシグナリング（バックホールシグナリング）を用いた干渉制御（干渉コーディネーション、eIMTA：enhanced  Interference  Mitigation  and  Traffic  Adaptation）を行うことが望まれる。
【０００８】
本発明はかかる点に鑑みてなされたものであり、無線基地局間のシグナリングを用いた干渉制御により、セル間干渉の影響を軽減可能な無線基地局、無線通信システム及び無線通信方法を提供することを目的とする。
【課題を解決するための手段】
【０００９】
本発明の無線通信方法は、無線基地局間インタフェースを介して隣接無線基地局に接続される無線基地局における無線通信方法であって、無線フレーム内の上りサブフレームと下りサブフレームとの構成を示すＵＬ／ＤＬ構成を用いて、ユーザ端末と無線通信を行う工程と、前記ＵＬ／ＤＬ構成における固定サブフレーム及びフレキシブルサブフレームの干渉制御に用いられる干渉制御情報を決定する工程と、前記無線基地局間インタフェースを介して、前記干渉制御情報を前記隣接無線基地局に送信する工程と、を有することを特徴とする。
【発明の効果】
【００１０】
本発明によれば、無線基地局間のシグナリングを用いた干渉制御により、セル間干渉の影響を軽減できる。
【図面の簡単な説明】
【００１１】
【図１】ＵＬ／ＤＬ構成の一例の説明図である。
【図２】セル間干渉の説明図である。
【図３】固定サブフレーム及びフレキシブルサブフレームの説明図である。
【図４】基地局間インタフェースで接続される無線基地局を含む無線通信システムの説明図である。
【図５】Ｘ２インタフェースを介してシグナリングされる情報項目の一例を示す図である。
【図６】ＩＯＩ及びＨＩＩの設定例を示す図である。
【図７】ＩＯＩ及びＨＩＩを用いた干渉制御の一例の説明図である。
【図８】ＩＯＩ及びＨＩＩの決定例の説明図である。
【図９】上りサブフレームで無線基地局が受ける干渉の説明図である。
【図１０】下りサブフレームで無線基地局が受ける干渉の説明図である。
【図１１】本発明の態様１．１に係る変動レベル情報の一例を示す図である。
【図１２】本発明の態様１．１に係る無線通信方法の一例を示す図である。
【図１３】本発明の態様１．１に係る変動レベル情報の決定例を示す図である。
【図１４】本発明の態様１．２に係るサブフレーム種別情報の一例を示す図である。
【図１５】本発明の態様１．２に係る無線通信方法の一例を示す図である。
【図１６】本発明の態様１．２に係るdual-IOI  reportの説明図である。
【図１７】本発明の態様１．２に係るdual-IOI  reportのシグナリングの一例の説明図である。
【図１８】本発明の態様１．３に係る干渉種別情報の一例を示す図である。
【図１９】本発明の態様１．３に係る無線通信方法の一例を示す図である。
【図２０】本発明の態様１．３に係るdual-IOI  reportの説明図である。
【図２１】本発明の態様１．３に係るdual-IOI  reportのシグナリングの一例の説明図である。
【図２２】本発明の態様２に係るサブフレーム種別情報の一例を示す図である。
【図２３】本発明の態様２に係るdual-HII  reportの説明図である。
【図２４】本発明の態様２に係るdual-HII  reportのシグナリングの一例の説明図である。
【図２５】本発明の態様３．１に係るダイナミック割当情報の一例を示す図である。
【図２６】本発明の態様３．１．１に係るダイナミック割当情報の決定例を示す図である。
【図２７】本発明の態様３．１．１に係るダイナミック割当情報の一例を示す図である。
【図２８】本発明の態様３．１．２に係るダイナミック割当情報の一例を示す図である。
【図２９】本発明の態様３．２に係るダイナックＴＤＤ設定情報の一例を示す図である。
【図３０】本発明の態様３．２に係るダイナックＴＤＤ設定情報の一例を示す図である。
【図３１】本発明の態様４に係るダイナミックＴＤＤサポート情報の一例を示す図である。
【図３２】本発明の態様４に係るダイナミックＴＤＤサポート情報の一例を示す図である。
【図３３】本実施の形態に係る無線通信システムの一例を示す概略図である。
【図３４】本実施の形態に係る無線基地局の全体構成の説明図である。
【図３５】本実施の形態に係る無線基地局の機能構成の説明図である。
【発明を実施するための形態】
【００１２】
図２を参照し、ダイナミックＴＤＤにおけるセル間干渉について説明する。ダイナミックＴＤＤとは、時間分割複信（ＴＤＤ）が適用される無線通信システムにおいて、上りサブフレームと下りサブフレームとの構成（UL-DL  Configuration）を動的に変化させることである。図２Ａに示すように、ダイナミックＴＤＤが適用される無線通信システムは、無線基地局（eNB ：eNodeB）１及び２とそれぞれ通信するユーザ端末（ＵＥ：User  Equipment）１及び２を含んで構成されている。
【００１３】
図２Ａにおいて、無線基地局１とユーザ端末１との間、及び無線基地局２とユーザ端末２との間では、ＴＤＤにより無線通信が行われる。図２Ｂでは、一例として無線基地局１がＵＬ／ＤＬ構成１、無線基地局２がＵＬ／ＤＬ構成２を適用する場合を示している。
【００１４】
この場合、サブフレーム３、８において、無線基地局１はＵＬ伝送を行い、無線基地局２はＤＬ伝送を行う。すなわち、同一時間領域／同一周波数領域において、無線基地局２からユーザ端末２に下り信号が送信され、ユーザ端末１から無線基地局１に上り信号が送信される。
【００１５】
このため、図２Ａに示すように、無線基地局２からユーザ端末２に送信される下り信号は、ユーザ端末１から無線基地局１に送信される上り信号への干渉１（無線基地局１と無線基地局２との基地局間干渉（eNB-to-eNB  interference）、下り干渉（DL  interference））となる恐れがある。また、ユーザ端末１から無線基地局１に送信される上り信号は、無線基地局２からユーザ端末２に送信される下り信号への干渉２（ユーザ端末１とユーザ端末２との端末間干渉（UE-to-UE  interference）、上り干渉（UL  interference））となる恐れがある。
【００１６】
この結果、図２Ａでは、サブフレーム３、８において、無線基地局１及びユーザ端末２の受信品質が低下する恐れがある。また、通常は、無線基地局から送信される下り信号の送信電力が、ユーザ端末から送信される上り信号の送信電力より大きくなる。このため、無線基地局から送信される下り信号が、ユーザ端末から送信される上り信号（例えば、上り制御信号）に対して及ぼす干渉（基地局間干渉）の影響が特に大きくなる。
【００１７】
このように、ダイナミックＴＤＤでは、隣接する無線基地局間で異なるＵＬ／ＤＬ構成が用いられる場合、当該無線基地局間で伝送方向が異なるサブフレーム（例えば、図２Ｂのサブフレーム３、８）では、セル間干渉（特に、図２Ａの基地局間干渉１）の影響を大きく受ける。一方で、当該無線基地局間で伝送方向が同じサブフレーム（例えば、図２Ｂのサブフレーム０−２、４−７、９）では、セル間干渉の影響は少ない。
【００１８】
図３を参照し、セル間干渉の影響が少ないサブフレームとセル間干渉の影響が大きいサブフレームとについて説明する。図３に示すように、無線フレームには、固定サブフレーム（Fixed  Subframe）とフレキシブルサブフレーム（Flexible  Subframe）とが設けられる。固定サブフレームは、異なるＵＬ／ＤＬ構成間で伝送方向が固定されるサブフレームである。一方、フレキシブルサブフレームは、異なるＵＬ／ＤＬ構成間で伝送方向が固定されない（すなわち、伝送方向が異なってもよい）サブフレームである。なお、フレキシブルサブフレームは、動的サブフレーム（Dynamic  Subframe）と呼ばれてもよい。
【００１９】
図３に示すように、ＵＬ／ＤＬ構成０−６において、サブフレーム０、１、５、６は、全て下りサブフレームである。なお、特殊サブフレームは、下りサブフレームと上りサブフレームとの切替用のサブフレームであり、主に、下りリンクに用いられる。このため、特殊サブフレームは、下りサブフレームとみなすことができる。また、ＵＬ／ＤＬ構成０−６において、サブフレーム２は、全て上りサブフレームである。よって、図３では、サブフレーム０、１、２、５、６が、ＵＬ／ＤＬ構成０−６間で伝送方向が固定される固定サブフレームとなる。
【００２０】
一方、図３のサブフレーム３では、ＵＬ／ＤＬ構成０−６間で上りサブフレーム（ＵＬ／ＤＬ構成０、１、３、４、６の場合）と下りサブフレームと（ＵＬ／ＤＬ構成２、５の場合）が混在する。同様に、図３のサブフレーム４、７−９でも、ＵＬ／ＤＬ構成０−６間で上りサブフレームと下りサブフレームとが混在する。よって、図３では、サブフレーム３、４、７−９が、ＵＬ／ＤＬ構成０−６間で伝送方向が固定されないフレキシブルサブフレームとなる。なお、固定サブフレーム及びフレキシブルサブフレームは、図３に示すものに限られず、用いられるＵＬ／ＤＬ構成に応じて適宜変更される。
【００２１】
固定サブフレームでは、隣接する無線基地局間で異なるＵＬ／ＤＬ構成が用いられても伝送方向が同一となるため、セル間干渉の影響は少ない。一方、フレキシブルサブフレームでは、隣接する無線基地局間で異なるＵＬ／ＤＬ構成が用いられる場合、伝送方向が異なると、セル間干渉の影響が大きくなる。
【００２２】
ところで、無線基地局は、図４に示すように、基地局間インタフェース（例えば、Ｘ２インタフェース）で互いに接続（interconnect）される。図４において、無線基地局１−３（ｅＮＢ１−３）間の干渉制御は、基地局間インタフェースを介したシグナリング（バックホールシグナリング）により実現される。なお、以下では、基地局間インタフェースとしてＸ２インタフェースを用いる場合を説明するが、これに限られるものではない。
【００２３】
図５−８を参照し、Ｘ２インタフェースを介したシグナリングによる干渉制御の一例を説明する。図５は、Ｘ２インタフェースを介してシグナリングされる情報項目（ＩＥ：Information  Element）の一例を示す図である。
【００２４】
図５Ａでは、UL  Interference  Overload  Indication（以下、ＩＯＩという）が示される。ＩＯＩは、無線基地局が受ける干渉（Interference  Overload）のレベルを、ＰＲＢ（Physical  Resource  Block）毎に示すものである。例えば、図５Ａでは、ＩＯＩは、高（high）、中（medium）、低（low）の３レベルで、上記干渉レベルを示す。
【００２５】
また、図５Ｂでは、UL  High  Interference  Indication（以下、ＨＩＩという）が示される。ＨＩＩは、無線基地局が与える干渉（interference  sensitivity）のレベルを、ＰＲＢ毎に示すものである。例えば、図５Ｂでは、ＨＩＩは、“１”（高（high））又は“０”（低（low））の２値で、上記干渉レベルを示す。
【００２６】
図６は、ＩＯＩ及びＨＩＩの設定例を示す図である。なお、図６では、最大６ＰＲＢが使用されるものとするがこれに限られない。また、ＰＲＢとは、周波数領域のリソース単位であり、物理リソースブロック、リソースブロックなどと呼ばれる。ＰＲＢは、ＰＲＢインデックスによって識別される。また、無線基地局におけるスケジューリングは、ＰＲＢ単位で行われる。
【００２７】
図６に示すＩＯＩでは、ＰＲＢ＃１−＃６のそれぞれにおいて、上記被干渉レベルが、高、中、低の３レベルで設定される。一方、図６に示すＨＩＩでは、ＰＲＢ＃１−＃６のそれぞれにおいて、無線基地局が受ける干渉レベルが、“１”（高）又は“０”（低）の２値で設定される。
【００２８】
図７及び図８は、ＩＯＩ及びＨＩＩを用いた干渉制御の一例の説明図である。なお、図７及び図８に示す干渉制御では、図４に示す無線基地局１（Target  eNB）が、隣接する無線基地局２及び３（Neighboring  eNBs）に対して、Ｘ２インタフェースを介したシグナリングを行うものとする。また、図７では、図６と同様に、最大６ＰＲＢが使用されるものとする。
【００２９】
図７に示すように、無線基地局１は、無線基地局２及び３に送信するＩＯＩ及びＨＩＩを決定する（ステップＳ１）。具体的には、図８Ａに示すように、無線基地局１は、無線基地局２及び３から受ける干渉を測定する（ステップＳ１１）。また、無線基地局１は、測定した干渉と所定の閾値との比較に基づいて、ＩＯＩの設定値（例えば、図６参照）を決定する（ステップＳ１２）。
【００３０】
また、図８Ｂに示すように、無線基地局１が、セル端のユーザ端末（cell  edge  UE）に対して、例えば、ＰＲＢ＃１、＃３、＃４、＃６をスケジューリングする（ステップＳ１３）。また、無線基地局１は、スケジューリング結果に基づいて、ＨＩＩの設定値を決定する（ステップＳ１４）。具体的には、セル端のユーザ端末に対する送信電力は相対的に大きくなるため、無線基地局１からの下り信号による干渉が高くなる。このため、無線基地局１は、図６に示すように、ＨＩＩのＰＲＢ＃１、＃３、＃４、＃６に対応するビットを“１”（干渉レベル高）に設定する。
【００３１】
図７に示すように、無線基地局１は、図８Ａ及び図８Ｂで決定されたＩＯＩ及びＨＩＩを含む負荷情報（LOAD  INFORMATION）メッセージを、Ｘ２インタフェースを介して無線基地局２及び３に送信する（ステップＳ２）。無線基地局２及び３は、それぞれ、無線基地局１からのＩＯＩ及びＨＩＩに基づいて、リソース割り当て（Resource  Allocation）、送信電力（Power）、変調符号化方式（MCS：Modulation  and  Coding  Scheme）を調整し、干渉制御を行う（ステップＳ３）。
【００３２】
しかしながら、以上のような干渉制御では、図３のフレキシブルサブフレームでは、固定サブフレームと比較してセル間干渉の影響が大きいという点に着目していない。したがって、無線基地局間で異なるＵＬ／ＤＬ構成が用いられる場合に、フレキシブルサブフレームで生じるセル間干渉を十分に軽減できない恐れがある。そこで、本発明者らは、基地局間インタフェースを介したシグナリングにより、フレキシブルサブフレームにおけるセル間干渉の影響を軽減するという着想を得た。
【００３３】
図９及び図１０を参照し、本発明に係る無線通信方法で制御される干渉を説明する。図９は、上りサブフレームにおける干渉の説明図である。上りサブフレームは、固定上りサブフレーム（fixed  UL  subframe）とフレキシブル上りサブフレーム（Flexible  UL  Subframe）とを含む。固定上りサブフレームは、伝送方向が上りの固定サブフレーム（例えば、図３のサブフレーム２）である。一方、フレキシブル上りサブフレームは、伝送方向が上りのフレキシブルサブフレーム（例えば、図３のＵＬ／ＤＬ構成１のサブフレーム３、７、８）である。
【００３４】
図９Ａに示すように、固定上りサブフレームでは、ユーザ端末１から無線基地局１（Target  eNB）に対する上り信号（UL  signal）は、ユーザ端末２及び３から無線基地局２及び３（Neighboring  eNBs）に対する上り信号による干渉を受ける。このユーザ端末２及び３からの上り信号による干渉は、上り干渉（UL  Interference）又は端末干渉（UE  interference）と呼ばれる。
【００３５】
一方、図９Ｂに示すように、フレキシブル上りサブフレームでは、ユーザ端末１から無線基地局１に対する上り信号は、ユーザ端末２から無線基地局２に対する上り信号による上り干渉と、無線基地局３からユーザ端末３に対する下り信号による干渉と、を受ける。この無線基地局３からの下り信号による干渉は、下り干渉（DL  Interference）又は基地局干渉（eNB  Interference）と呼ばれる。なお、フレキシブル上りサブフレームにおける下り干渉は、特に、基地局間干渉（eNB-to-eNB  interference）と呼ばれる。
【００３６】
図１０は、下りサブフレームにおける干渉の説明図である。下りサブフレームは、固定下りサブフレーム（fixed  DL  subframe）とフレキシブル下りサブフレーム（Flexible  DL  Subframe）とを含む。固定下りサブフレームは、伝送方向が下りの固定サブフレーム（例えば、図３のサブフレーム０、１、５、６）である。一方、フレキシブル下りサブフレームは、伝送方向が下りのフレキシブルサブフレーム（例えば、図３のＵＬ／ＤＬ構成１のサブフレーム４、９）である。
【００３７】
図１０Ａに示すように、固定下りサブフレームでは、無線基地局１（Target  eNB）からユーザ端末１に対する下り信号が、無線基地局２及び３（Neighboring  eNBs）からユーザ端末２及び３に対する下り信号による下り干渉を受ける。無線基地局１は、無線基地局２及び３の参照信号（例えば、ＣＲＳ：Cell-specific  Reference  Signal）の受信電力（例えば、ＲＳＲＰ：Reference  Signal  Received  Power）を測定して、この下り干渉を推定することができる。
【００３８】
一方、図１０Ｂに示すように、フレキシブル下りサブフレームでは、無線基地局１（Target  eNB）からユーザ端末１に対する下り信号は、ユーザ端末２から無線基地局２に対する上り信号による上り干渉と、無線基地局３からユーザ端末３に対する下り信号による下り干渉と、を受ける。図１０Ａと同様に、例えば、無線基地局１は、無線基地局２及び３のＣＲＳのＲＳＲＰを測定して、この下り干渉を推定することができる。なお、フレキシブル下りサブフレームにおける上り干渉は、特に、端末間干渉（UE-to-UE  interference）と呼ばれる。
【００３９】
本発明に係る無線通信方法は、以上のような固定サブフレーム（特に、固定上りサブフレーム）とフレキシブルサブフレーム（特に、フレキシブル上りサブフレーム）との干渉制御に用いられる。具体的には、本発明に係る制御方法では、無線基地局は、無線フレーム内の上りサブフレームと下りサブフレームとの構成であるＵＬ／ＤＬ構成を用いて、ユーザ端末と無線通信を行う。また、無線基地局は、上記干渉制御に用いられる干渉制御情報（後述）を決定する。無線基地局は、無線基地局間インタフェースを介して、決定された干渉制御情報を隣接無線基地局に送信する。
【００４０】
以下、本発明に係る無線通信方法を詳細に説明する。本発明に係る無線通信方法は、無線基地局間インタフェースを介して隣接無線基地局（Neighboring  eNBs）に接続される無線基地局（Target  eNB）で用いられる。なお、以下では、図１、３に示すＵＬ／ＤＬ構成が用いられるものするが、適用可能なＵＬ／ＤＬ構成はこれに限られない。また、ＵＬ／ＤＬ構成は動的（dynamic）に変更されるものとするが、準静的（semi-static）に変更されてもよいし、固定的に設定されてもよい。また、無線基地局間インタフェースとして、Ｘ２インタフェースが用いられるものとするが、これに限られない。
【００４１】
（態様１）
態様１に係る無線通信方法では、上記干渉制御情報は、ＩＯＩと、フレキシブルサブフレームにおいて基地局間干渉（eNB-to-eNB interference）が存在するか否かを示す基地局間干渉情報（eNB-to-eNB interference indicator）と、を含んでもよい。ＩＯＩは、無線基地局が受ける干渉レベルを示す被干渉レベル（Interfered  Level）情報である。なお、ＩＯＩは、上記干渉レベルをＰＲＢ毎に示してもよい。また、基地局間干渉情報（eNB-to-eNB interference indicator）は、変動レベル情報（態様１．１）であってもよいし、サブフレーム種別情報（態様１．２）であってもよいし、干渉種別情報（態様１．３）であってもよい。
【００４２】
態様１に係る無線通信方法において、無線基地局は、ＩＯＩと基地局間干渉情報とを含む負荷情報（LOAD  NFORMATION）メッセージを、Ｘ２インタフェースを介して隣接無線基地局に送信する。
【００４３】
（態様１．１）
図１１−１３を参照し、態様１．１に係る無線通信方法を説明する。態様１．１に係る無線通信方法では、基地局間干渉情報として変動レベル情報が用いられる。変動レベル情報は、固定サブフレームにおいて無線基地局が受ける干渉とフレキシブルサブフレームにおいて無線基地局が受ける干渉との変動レベルを示す。なお、変動レベル情報は、固定上りサブフレームにおける干渉（図９Ａ参照）とフレキシブル上りサブフレームにおける干渉（図９Ｂ参照）との変動レベルを示してもよい。また、変動レベル情報は、上記変動レベルをＰＲＢ毎に示してもよい。
【００４４】
図１１は、態様１．１に係る変動レベル情報の一例を示す図である。図１１に示すように、変動レベル情報（UL  Interference  Fluctuation）は、高（high  fluctuation）、中（medium  fluctuation）、低（low  fluctuation）の３レベルで、上記変動レベルを示してもよい。或いは、変動レベル情報（UL  Interference  Fluctuation）は、“１”（高（high  fluctuation））又は“０”（低（low  fluctuation））の２値で、上記変動レベルを示してもよい。
【００４５】
図１２は、態様１．１に係る無線通信方法を示すフローチャートである。なお、図１２では、変動レベル情報は、固定上りサブフレームにおける干渉とフレキシブル上りサブフレームにおける干渉との変動レベルを示すものとする。
【００４６】
図１２に示すように、無線基地局（eNB）は、固定上りサブフレームにおける干渉量ＩFixedSFをＰＲＢ毎に測定する（ステップＳ１０１）。具体的には、無線基地局は、干渉量ＩFixedSFとして、図９Ａに示す上り干渉の干渉量を測定する。
【００４７】
無線基地局は、フレキシブル上りサブフレームにおける干渉量ＩFlexibleSFをＰＲＢ毎に測定する（ステップＳ１０２）。具体的には、無線基地局は、干渉量ＩFlexibleSFとして、図９Ｂに示す上り干渉の干渉量と下り干渉の干渉量との合計を測定する。
【００４８】
無線基地局は、測定された干渉量ＩFixedSFと干渉量ＩFlexibleSFとに基づいて、固定上りサブフレームとフレキシブル上りサブフレームとにおける干渉の変動量をＰＲＢ毎に計算する（ステップＳ１０３）。例えば、上記変動量は、上記干渉量ＩFixedSFと干渉量ＩFlexibleSFとの差の絶対値を干渉量ＩFixedSFで除算することで算出されてもよい。
【００４９】
無線基地局は、計算された変動量と所定の閾値との比較結果に基づいて、変動レベル情報（UL  Interference  Fluctuation）を決定する（ステップＳ１０４）。
【００５０】
図１３は、態様１．１に係る変動レベル情報の決定例を示す図である。なお、図１３では、最大６ＰＲＢが使用されるものとするがこれに限られない。図６に示すように、ＰＲＢ＃１−＃６のそれぞれにおいて、変動レベル情報は、高、中、低の３レベルで決定されてもよい（Example  1）。或いは、ＰＲＢ＃１−＃６のそれぞれにおいて、変動レベル情報は、“１”（高）又は“０”（低）の２値で決定されてもよい（Example  2）。
【００５１】
態様１．１に係る無線通信方法では、ＩＯＩと変動レベル情報（UL  Interference  Fluctuation）とがＸ２インタフェースを介してシグナリングされる。このため、固定サブフレームとフレキシブルサブフレームとの双方におけるＩＯＩを通知せずとも、基地局間干渉の存在を示すことができ、シグナリング量を低減できる。
【００５２】
（態様１．２）
図１４−１７を参照し、態様１．２に係る無線通信方法を説明する。態様１．２に係る無線通信方法では、基地局間干渉情報としてサブフレーム種別情報が用いられる。サブフレーム種別情報は、ＩＯＩによって示される干渉レベルが、固定サブフレーム又はフレキシブルサブフレームのいずれの干渉レベルであるかを示す。なお、サブフレーム種別情報は、ＩＯＩによって示される干渉レベルが、固定上りサブフレーム又はフレキシブル上りサブフレームのいずれの干渉レベルであるかを示してもよい。なお、サブフレーム種別情報は、複数のＰＲＢで共有されてもよい。
【００５３】
図１４は、態様１．２に係るサブフレーム種別情報の一例を示す図である。図１４に示すように、サブフレーム種別情報（Subframe  Type）は、サブフレーム種別（例えば、fixed  UL  subframe、flexible  UL  subframe）を設定することにより、固定上りサブフレーム又はフレキシブル上りサブフレームのいずれの干渉レベルであるかを示してもよい。或いは、サブフレーム種別情報（Subframe  Type）は、“TRUE”又は“FALSE”を設定することにより、固定上りサブフレーム又はフレキシブル上りサブフレームのいずれの干渉レベルであるかを示してもよい。
【００５４】
図１５は、態様１．２に係る無線通信方法を示すフローチャートである。なお、図１５では、サブフレーム種別情報は、ＩＯＩによって示される干渉レベルが、固定上りサブフレーム又はフレキシブル上りサブフレームのいずれの干渉レベルであるかを示すものとする。
【００５５】
図１５に示すように、無線基地局（eNB）は、固定上りサブフレームにおける干渉量ＩFixedSFをＰＲＢ毎に測定する（ステップＳ２０１）。また、無線基地局は、フレキシブル上りサブフレームにおける干渉量ＩFlexibleSFをＰＲＢ毎に測定する（ステップＳ２０２）。なお、干渉量ＩFixedSFと干渉量ＩFlexibleSFとの詳細な測定方法は、図１２のステップＳ１０１及びＳ１０２と同様であるため、説明を省略する。
【００５６】
無線基地局は、測定された干渉量ＩFixedSFと所定の閾値との比較結果に基づいて、固定上りサブフレームにおけるＩＯＩを決定し、測定された干渉量ＩFlexibleSFと所定の閾値との比較結果に基づいて、フレキシブル上りサブフレームにおけるＩＯＩを決定する（ステップＳ２０３）。無線基地局は、固定上りサブフレーム及びフレキシブル上りサブフレームにおけるＩＯＩとサブフレーム種別情報とを、隣接無線基地局に送信する（dual-IOI  report）。
【００５７】
図１６は、態様１．２に係るdual-IOI  reportの説明図である。なお、図１６では、最大６ＰＲＢが使用されるものとするがこれに限られない。図１６に示すように、ＰＲＢ＃１−＃６のそれぞれにおいて、固定上りサブフレームのＩＯＩは、高、中、低の３レベルで、固定上りサブフレームにおいて無線基地局が受ける干渉レベルを示す。また、サブフレーム種別情報（Subframe  type）は、ＰＲＢ＃１−＃６で共有され、“Fixed  UL  subframe”又は“FALSE”により、上記干渉レベルが固定上りサブフレームの干渉レベルであることを示す。
【００５８】
同様に、ＰＲＢ＃１−＃６のそれぞれにおいて、フレキシブル上りサブフレームのＩＯＩは、高、中、低の３レベルで、フレキシブル上りサブフレームにおいて無線基地局が与える干渉レベルを示す。また、サブフレーム種別情報（Subframe  type）は、ＰＲＢ＃１−＃６で共有され、“Flexible  UL  subframe”又は“TRUE”により、上記干渉レベルがフレキシブル上りサブフレームの干渉レベルであることを示す。
【００５９】
図１７は、態様１．２に係るdual-IOI  reportのシグナリング例の説明図である。固定上りサブフレームにおけるＩＯＩとフレキシブル上りサブフレームにおけるＩＯＩとは、図１７Ａに示すように、同時にシグナリングされてもよい。或いは、固定上りサブフレームにおけるＩＯＩとフレキシブル上りサブフレームにおけるＩＯＩとは、図１７Ｂに示すように、交互にシグナリングされてもよい。
【００６０】
態様１．２に係る無線通信方法によれば、固定サブフレーム及びフレキシブルサブフレームにおけるＩＯＩとサブフレーム種別情報（Subframe  Type）とがＸ２インタフェースを介して隣接無線基地局にシグナリングされる。このため、隣接無線基地局は、固定サブフレーム及びフレキシブルサブフレームのＩＯＩの比較によって、基地局間干渉の存在を認識できる。
【００６１】
（態様１．３）
図１８−２１を参照し、態様１．３に係る無線通信方法を説明する。態様１．３に係る無線通信方法では、基地局間干渉情報として干渉種別情報が用いられる。干渉種別情報は、ＩＯＩによって示される干渉レベルが、上り干渉（図９Ａ参照）又は下り干渉（図９Ｂ、図１０Ａ、図１０Ｂ参照）のいずれの干渉レベルであるかを示す。なお、サブフレーム種別情報は、複数のＰＲＢで共有されてもよい。
【００６２】
図１８は、態様１．３に係る干渉種別情報の一例を示す図である。図１８に示すように、干渉種別情報（Interference  Type）は、干渉種別（例えば、DL(eNB)、UL(UE)）を設定することにより、下り干渉又は上り干渉のいずれの干渉レベルであるかを示してもよい。或いは、干渉種別情報（Interference  Type）は、“TRUE”又は“FALSE”を設定することにより、下り干渉又は上り干渉のいずれの干渉レベルであるかを示してもよい。
【００６３】
図１９は、態様１．３に係る無線通信方法を示すフローチャートである。図１９に示すように、無線基地局（eNB）は、上り干渉の干渉量ＩUL（ＩUE）をＰＲＢ毎に測定する（ステップＳ３０１）。具体的には、無線基地局は、干渉量ＩUL（ＩUE）として、図９Ａに示す上り干渉の干渉量を測定する。
【００６４】
無線基地局は、下り干渉による干渉量ＩDL（ＩeNB）をＰＲＢ毎に測定する（ステップＳ３０２）。具体的には、無線基地局は、干渉量ＩDL（ＩeNB）として、図９Ｂに示すフレキシブル上りサブフレームにおける下り干渉、図１０Ａに示す固定下りサブフレームにおける下り干渉、図１０Ｂに示すフレキシブル下りサブフレーにおける下り干渉の少なくとも一つの干渉量を測定する。なお、当該干渉量ＩDL（ＩeNB）は、無線基地局が、隣接無線基地局からの参照信号（例えば、ＣＲＳ）の受信電力（例えば、ＲＳＲＰ）を測定することで、推定されてもよい。
【００６５】
無線基地局は、測定された干渉量ＩUL（ＩUE）及び干渉量ＩDL（ＩeNB）と所定の閾値との比較結果に基づいて、上り干渉のＩＯＩと下り干渉のＩＯＩとを決定する（ステップＳ３０３）。無線基地局は、上り干渉及び下り干渉のＩＯＩと干渉種別情報とを、隣接無線基地局に送信する（dual-IOI  report）。
【００６６】
図２０は、態様１．３に係るdual-IOI  reportの説明図である。なお、図２０では、最大６ＰＲＢが使用されるものとするがこれに限られない。図２０に示すように、ＰＲＢ＃１−＃６のそれぞれにおいて、上り干渉のＩＯＩは、高、中、低の３レベルで、無線基地局が上り干渉により受ける干渉レベルを示す。また、干渉種別情報（Interference  Type）は、ＰＲＢ＃１−＃６で共有され、“UL(UE)”又は“FALSE”により、上記干渉レベルが上り干渉の干渉レベルであることを示す。
【００６７】
同様に、図２０に示すように、ＰＲＢ＃１−＃６のそれぞれにおいて、下り干渉のＩＯＩは、高、中、低の３レベルで、無線基地局が下り干渉による受ける干渉レベルを示す。また、干渉種別情報（Interference  Type）は、ＰＲＢ＃１−＃６で共有され、“DL(eNB)”又は“TRUE”により、上記干渉レベルが下り干渉の干渉レベルであることを示す。
【００６８】
図２１は、態様１．３に係るdual-IOI  reportのシグナリング例の説明図である。上り干渉のＩＯＩと下り干渉のＩＯＩとは、図２１Ａに示すように、同時にシグナリングされてもよい。或いは、上り干渉のＩＯＩと下り干渉のＩＯＩとは、図２１Ｂに示すように、交互にシグナリングされてもよい。
【００６９】
態様１．３に係る無線通信方法によれば、上り干渉及び下り干渉のＩＯＩと干渉種別情報（Interference  Type）とがＸ２インタフェースを介して隣接無線基地局にシグナリングされる。このため、隣接無線基地局は、上り干渉及び下り干渉のＩＯＩの比較によって、基地局間干渉の存在を認識できる。
【００７０】
（態様２）
態様２に係る無線通信方法では、上記干渉制御情報は、ＨＩＩと、サブフレーム種別情報（Subframe  Type）と、を含んでもよい。ＨＩＩは、無線基地局が与える干渉のレベルを示す与干渉レベル（Interfering  Level）情報である。なお、ＨＩＩは、上記干渉レベルをＰＲＢ毎に示してもよい。
【００７１】
サブフレーム種別情報は、ＨＩＩによって示される干渉レベルが、固定サブフレーム又はフレキシブルサブフレームのいずれの干渉レベルであるかを示す。また、サブフレーム種別情報は、ＨＩＩによって示される干渉レベルが、固定上りサブフレーム又はフレキシブル上りサブフレームのいずれの干渉レベルであるかを示してもよい。また、サブフレーム種別情報は、複数のＰＲＢで共有されてもよい。
【００７２】
なお、上記ＨＩＩとサブフレーム種別情報とによれば、隣接無線基地局が受ける干渉が高いリソースを識別できる。このため、隣接無線基地局は、上記ＨＩＩとサブフレーム種別情報とを、ユーザ端末に対するリソース割当てに用いることができる。よって、上記ＨＩＩとサブフレーム種別情報とは、DL./UL  resource  allocation  indicatorとも呼ばれる。
【００７３】
態様２に係る無線通信方法において、無線基地局は、上記ＨＩＩとサブフレーム種別情報とを含む負荷情報（LOAD  NFORMATION）メッセージを、Ｘ２インタフェースを介して隣接無線基地局に送信する。
【００７４】
図２２は、態様２に係るサブフレーム種別情報の一例を示す図である。図２２に示すように、サブフレーム種別情報（Subframe  Type）は、サブフレーム種別（例えば、fixed  UL  subframe、flexible  UL  subframe）を設定することにより、固定上りサブフレーム又はフレキシブル上りサブフレームのいずれの干渉レベルであるかを示してもよい。或いは、サブフレーム種別情報（Subframe  Type）は、“TRUE”又は“FALSE”を設定することにより、固定上りサブフレーム又はフレキシブル上りサブフレームのいずれの干渉レベルであるかを示してもよい。
【００７５】
態様２に係る無線通信方法において、無線基地局は、固定サブフレーム及びフレキシブルサブフレームのＨＩＩとサブフレーム種別情報とを、隣接無線基地局に送信する（dual-HII  report）。なお、無線基地局は、固定上りサブフレーム及びフレキシブル上りサブフレームのＨＩＩとサブフレーム種別情報とを、隣接無線基地局に送信してもよい（dual-HII  report）。
【００７６】
図２３は、態様２に係るdual-HII  reportの説明図である。なお、図２３では、最大６ＰＲＢが使用されるものとするがこれに限られない。図２３に示すように、ＰＲＢ＃１−＃６のそれぞれにおいて、固定上りサブフレームのＨＩＩは、１（高）、０（低）の２値で、固定上りサブフレームにおいて無線基地局が与える干渉レベルを示す。また、サブフレーム種別情報（Subframe  Type）は、ＰＲＢ＃１−＃６で共有され、“Fixed  UL  subframe”又は“FALSE”により、上記干渉レベルが固定上りサブフレームの干渉レベルであることを示す。
【００７７】
同様に、ＰＲＢ＃１−＃６のそれぞれにおいて、フレキシブル上りサブフレームのＨＩＩは、１（高）、０（低）の２値で、フレキシブル上りサブフレームにおいて無線基地局が与える干渉レベルを示す。また、サブフレーム種別情報（Subframe  Type）は、ＰＲＢ＃１−＃６で共有され、“Flexible  UL  subframe”又は“TRUE”により、上記干渉レベルがフレキシブル上りサブフレームの干渉レベルであることを示す。
【００７８】
図２４は、態様２に係るdual-HII  reportのシグナリング例の説明図である。固定上りサブフレームにおけるＨＩＩとフレキシブル上りサブフレームにおけるＨＩＩとは、図２４Ａに示すように、同時にシグナリングされてもよい。或いは、固定上りサブフレームにおけるＨＩＩとフレキシブル上りサブフレームにおけるＨＩＩとは、図２４Ｂに示すように、交互にシグナリングされてもよい。
【００７９】
態様２に係る無線通信方法によれば、固定サブフレーム及びフレキシブルサブフレームにおけるＨＩＩとサブフレーム種別情報（Subframe  Type）とがＸ２インタフェースを介して隣接無線基地局にシグナリングされる。このため、隣接無線基地局は、固定サブフレーム及びフレキシブルサブフレームのＨＩＩの比較によって、より適切にスケジューリングを行うことができる。
【００８０】
（態様３）
態様３に係る無線通信方法では、上記干渉制御情報は、ＵＬ／ＤＬ構成を動的に変更するダイナミックＴＤＤを適用する場合に、使用されるＵＬ／ＤＬ構成を示すＵＬ／ＤＬ構成情報（Dynamic  TDD  UL-DL-configuration  indicator）を含んでもよい。ここで、ＵＬ／ＤＬ構成情報（Dynamic  TDD  UL-DL-configuration  indicator）は、ダイナミック割当情報（態様３．１）であってもよいし、ダイナックＴＤＤ設定情報（態様３．２）であってもよい。
【００８１】
態様３に係る無線通信方法において、無線基地局は、ＵＬ／ＤＬ構成情報を含む更新通知メッセージ（ENB  CONFIGURATION  UPDATE）を、Ｘ２インタフェースを介して隣接無線基地局に送信する。ここで、更新通知メッセージは、無線基地局の構成の更新を隣接無線基地局に通知するメッセージである。
【００８２】
（態様３．１）
図２５−２８を参照し、態様３．１に係る無線通信方法を説明する。態様３．１に係る無線通信方法では、上記ＵＬ／ＤＬ構成情報として、ダイナミック割当情報が用いられる。ここで、ダイナミック割当情報（Dynamic  Subframe  Assignment）は、ダイナミックＴＤＤ適用時におけるＵＬ／ＤＬ構成の割当を示す。
【００８３】
図２５は、態様３．１に係るダイナミック割当情報（Dynamic  Subframe  Assignment）の一例を示す図である。図２５に示すように、ダイナミック割当情報は、ダイナミックＴＤＤ適用時に使用されるＵＬ／ＤＬ構成の組み合わせを示してもよいし（態様３．１．１）、更新された一つのＵＬ／ＤＬ構成を示してもよい（態様３．１．２）。
【００８４】
具体的には、態様３．１．１に係るダイナミック割当情報は、図２５に示すように、ビット列で、使用されるＵＬ／ＤＬ構成の組み合わせを示す。このビット列では、例えば、使用されるＵＬ／ＤＬ構成に対応するビットが“１”（Supported）に設定され、使用されないＵＬ／ＤＬ構成に対応するビットが“０”（NOT  Supported）に設定されてもよい。
【００８５】
図２６は、態様３．１．１に係るダイナミック割当情報の決定動作を示すフローチャートである。図２６に示すように、無線基地局eNB）は、メモリウィンドウの長さＬwinを設定する（ステップＳ４０１）。ここで、メモリウィンドウとは、使用されるＵＬ／ＤＬ構成を記録するメモリであり、長さＬwinに応じて記録されるＵＬ／ＤＬ構成の数が変更される。
【００８６】
無線基地局は、メモリウィンドウ内に自局で使用されるＵＬ／ＤＬ構成の組み合わせを記録する（ステップＳ４０２）。例えば、ダイナミックＴＤＤ適用時にＵＬ／ＤＬ構成１、２、６が使用可能な場合、メモリウィンドウ内にＵＬ／ＤＬ構成１、２、６が記録される。
【００８７】
無線基地局は、メモリウィンドウ内に記録されたＵＬ／ＤＬ構成の組み合わせに基づいて、ダイナミック割当情報（Dynamic  Subframe  Assignment）を決定する（ステップＳ４０３）。例えば、メモリウィンドウ内にＵＬ／ＤＬ構成１、２、６が記録される場合、図２７Ａに示すように、ＵＬ／ＤＬ構成１、２、６に対応するビットに、“１”（Supported）が設定される。なお、ＵＬ／ＤＬ構成０−６は、例えば、図２７Ｂに示すように、ダイナミック割当情報（Dynamic  Subframe  Assignment）を構成するビット１−７に関連付けられる。
【００８８】
態様３．１．１に係るダイナミック割当情報（Dynamic  Subframe  Assignment）によれば、ダイナミックＴＤＤ適用時に使用可能なＵＬ／ＤＬ構成の組み合わせをシグナリングできる。このため、ＵＬ／ＤＬ構成の更新毎に更新されたＵＬ／ＤＬ構成を通知する場合と比較して、Ｘ２インタフェースを介したシグナリング量を軽減できる。
【００８９】
一方、態様３．１．２に係るダイナミック割当情報（Dynamic  Subframe  Assignment）は、ＵＬ／ＤＬ構成の更新毎に更新されたＵＬ／ＤＬ構成を示す。態様３．１．２に係るダイナミック割当情報は、例えば、図２５に示すように、ＵＬ／ＤＬ構成０を示す“ｓａ０”、ＵＬ／ＤＬ構成１を示す“ｓａ１”、ＵＬ／ＤＬ構成２を示す“ｓａ２”、ＵＬ／ＤＬ構成３を示す“ｓａ３”、ＵＬ／ＤＬ構成４を示す“ｓａ４”（ＵＬ／ＤＬ構成４）、ＵＬ／ＤＬ構成５を示す“ｓａ５”、ＵＬ／ＤＬ構成６を示す“ｓａ６”など、ＵＬ／ＤＬ構成の識別子であってもよい。
【００９０】
図２８は、態様３．１．２に係るダイナミック割当情報（Dynamic  Subframe  Assignment）の説明図である。図２８に示すように、態様３．１．２に係る無線通信方法では、無線基地局は、ＵＬ／ＤＬ構成を更新する毎に、ダイナミック割当情報を隣接無線基地局に送信する。
【００９１】
例えば、図２８では、無線基地局が、時間Ｔ１から時間Ｔ２までＵＬ／ＤＬ構成１を使用し、時間Ｔ２から時間Ｔ３までＵＬ／ＤＬ構成２を使用し、時間Ｔ３からＵＬ／ＤＬ構成６を使用する。この場合、無線基地局は、時間Ｔ１において、ＵＬ／ＤＬ構成１を示すダイナミック割当情報（ｓａ１）を隣接無線基地局に送信する。また、時間Ｔ２において、ＵＬ／ＤＬ構成２を示すダイナミック割当情報（ｓａ２）を隣接無線基地局に送信する。また、時間Ｔ３において、ＵＬ／ＤＬ構成６を示すダイナミック割当情報（ｓａ６）を隣接無線基地局に送信する。
【００９２】
態様３．１．２に係るダイナミック割当情報（Dynamic  Subframe  Assignment）によれば、ダイナミックＴＤＤ適用時において無線基地局がＵＬ／ＤＬ構成を更新する毎に、更新されたＵＬ／ＤＬ構成をシグナリングできる。このため、隣接無線基地局は、無線基地局によるＵＬ／ＤＬ構成の更新をより迅速に認識でき、より適切な干渉制御を行うことができる。
【００９３】
（態様３．２）
図２９−３０を参照し、態様３．２に係る無線通信方法を説明する。態様３．２に係る無線通信方法では、上記ＵＬ／ＤＬ構成情報として、ダイナックＴＤＤ設定情報が用いられる。ここで、ダイナックＴＤＤ設定情報（Dynamic  configuration）は、割当情報（Subframe  Assignment）が示すＵＬ／ＤＬ構成が、動的（dynamic）に設定されるＵＬ／ＤＬ構成であるか（Dynamic  TDD  configuration）、準静的（semi-static）に設定されるＵＬ／ＤＬ構成であるか（SIB（System  Information  Block）1  configuration）であるかを示す。
【００９４】
図２９は、態様３．２に係るダイナックＴＤＤ設定情報（Dynamic  configuration）の一例を示す図である。図２９に示すように、ダイナミックＴＤＤ設定情報は、“TRUE”又は“FALSE”により、割当情報（Subframe  Assignment）が示すＵＬ／ＤＬ構成が、動的に設定されるＵＬ／ＤＬ構成であるか（Dynamic  TDD  configuration）、準静的に設定されるＵＬ／ＤＬ構成であるか（SIB1  configuration）であるかを示してもよい。
【００９５】
図３０は、態様３．２に係るダイナックＴＤＤ設定情報（Dynamic  configuration）の説明図である。図３０に示すように、態様３．２に係る無線通信方法では、無線基地局は、ＵＬ／ＤＬ構成を更新する毎に、割当情報（Subframe  Assignment）及びダイナックＴＤＤ設定情報（Dynamic  configuration）を隣接無線基地局に送信する。
【００９６】
例えば、図３０では、無線基地局が、時間Ｔ１から時間Ｔ２までは準静的に設定されるＵＬ／ＤＬ構成０を使用する。また、無線基地局は、時間Ｔ２から時間Ｔ３までは動的に設定されるＵＬ／ＤＬ構成１を使用し、時間Ｔ３から時間Ｔ４までは動的に設定されるＵＬ／ＤＬ構成２を使用し、時間４からは動的に設定されるＵＬ／ＤＬ構成６を使用する。
【００９７】
この場合、無線基地局は、時間Ｔ１において、ＵＬ／ＤＬ構成０を示す割当情報（ｓａ０）及びダイナミックＴＤＤ割当情報（FALSE）を隣接無線基地局に送信する。また、時間Ｔ２において、ＵＬ／ＤＬ構成１を示す割当情報（ｓａ１）及びダイナミックＴＤＤ設定情報（TRUE）を隣接無線基地局に送信する。また、時間Ｔ３において、ＵＬ／ＤＬ構成２を示す割当情報（ｓａ２）及びダイナミックＴＤＤ設定情報（TRUE）を隣接無線基地局に送信する。また、時間Ｔ４において、ＵＬ／ＤＬ構成６を示す割当情報（ｓａ６）及びダイナミックＴＤＤ設定情報（TRUE）を隣接無線基地局に送信する。
【００９８】
態様３．２に係るダイナミックＴＤＤ設定情報（Dynamic  configuration）によれば、ＵＬ／ＤＬ構成の割当情報（Subframe  Assignment）ともに、ＵＬ／ＤＬ構成が動的に設定されるか、又は、準静的に設定されるかが通知される。これにより、ＵＬ／ＤＬ構成が動的に設定されるか否かに基づいて、より適切な干渉制御を行うことができる。
【００９９】
（態様４）
態様４に係る無線通信方法では、上記干渉制御情報は、ＵＬ／ＤＬ構成を動的に変更するダイナミックＴＤＤをサポートするか否かを示すダイナミックＴＤＤサポート情報（Dynamic  TDD）を含んでもよい。なお、ダイナミックＴＤＤサポート情報は、eIMTA  capability  indicatorと呼ばれてもよい。
【０１００】
態様４に係る無線通信方法において、無線基地局は、ダイナミックＴＤＤサポート情報を含む更新通知メッセージ（ENB  CONFIGURATION  UPDATE）を、Ｘ２インタフェースを介して隣接無線基地局に送信する。上述の通り、更新通知メッセージは、無線基地局の構成の更新を隣接無線基地局に通知するメッセージである。
【０１０１】
図３１は、態様４に係るダイナミックＴＤＤサポート情報（Dynamic  TDD）の一例を示す図である。図３１に示すように、ダイナミックＴＤＤサポート情報は、“TRUE”又は“FALSE”により、無線基地局が、ダイナミックＴＤＤをサポートすること（Dynamic  TDD  Supported）、又は、ダイナミックＴＤＤをサポートしないこと（Dynamic  TDD  NOT  Supported）を示してもよい。
【０１０２】
図３２は、態様４に係るダイナミックＴＤＤサポート情報の説明図である。図３２に示すように、態様４に係る無線通信方法では、無線基地局がダイナミックＴＤＤをサポートする否か（使用できるか否か）を更新する毎に、ダイナミックＴＤＤサポート情報（Dynamic  TDD）を隣接無線基地局に送信する。
【０１０３】
図３２に示すように、無線基地局がダイナミックＴＤＤをサポートする（又は、使用可できる）場合、“TRUE”が設定される。一方、無線基地局がダイナミックＴＤＤをサポートしない（又は、使用できない）場合、“FALSE”が設定される。なお、図３２は例示にすぎない。
【０１０４】
態様４に係る無線通信方法によれば、ダイナミックＴＤＤサポート情報（Dynamic  TDD、eIMTA  capability  indicator）が隣接無線基地局にシグナリングされるので、無線基地局がダイナミックＴＤＤをサポートするか否かに基づいて、隣接無線基地局が、より適切な干渉制御を行うことができる。
【０１０５】
（無線通信システムの構成）
以下、本実施の形態に係る無線通信システムの構成について説明する。この無線通信システムでは、態様１−４に係る無線通信方法が適用される。なお、態様１−４に係る無線通信方法は、組み合わせて適用されてもよいし、単独で適用されてもよい。
【０１０６】
図３３は、本実施の形態に係る無線通信システムの概略構成図である。図３３に示すように、無線通信システム１は、マクロセルＣ１を形成するマクロ基地局１１と、マクロセルＣ１内に配置され、マクロセルＣ１よりも狭いスモールセルＣ２を形成するスモール基地局１２ａ及び１２ｂとを備えている。ユーザ端末２０は、マクロ基地局１１、スモール基地局１２ａ及び１２ｂ（以下、総称してスモール基地局１２という）の少なくとも一つと無線通信可能に構成されている。なお、マクロ基地局１１、スモール基地局１２の数は、図３３に示す数に限られない。
【０１０７】
マクロセルＣ１及びスモールセルＣ２では、同一の周波数帯が用いられてもよいし、異なる周波数帯が用いられてもよい。また、マクロ基地局１１及び各スモール基地局１２は、無線基地局間インタフェース（例えば、Ｘ２インタフェース）を介して互いに接続（interconnect）される。マクロ基地局１１及び各スモール基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【０１０８】
なお、マクロ基地局１１は、相対的に広いカバレッジを有する無線基地局であり、ｅＮｏｄｅＢ（ｅＮＢ）、無線基地局、送信ポイント（transmission  point）などと呼ばれてもよい。スモール基地局１２は、局所的なカバレッジを有する無線基地局であり、ＲＲＨ（Remote  Radio  Head）、ピコ基地局、フェムト基地局、Ｈｏｍｅ  ｅＮｏｄｅＢ、送信ポイント、ｅＮｏｄｅＢ（ｅＮＢ）などと呼ばれてもよい。ユーザ端末２０は、ＬＴＥ、ＬＴＥ−Ａなどの各種通信方式に対応した端末であり、移動通信端末だけでなく固定通信端末を含んでよい。
【０１０９】
無線通信システム１では、複信方式として、上りリンクと下りリンクを時間で分割する時間分割複信（ＴＤＤ）が適用される。なお、異なる時間領域及び同一周波数領域で下り伝送と上り伝送が行われるFull-duplex dynamic TDDや異なる時間領域及び異なる周波数領域で下り伝送と上り伝送が行われるHalf-duplex dynamic TDDを用いることもできる。また、無線通信システム１では、無線フレーム内における上りサブフレームと下りサブフレームとの構成（比率）を示すＵＬ／ＤＬ構成（UL/DL  configuration、UL-DL  configuration）が用いられる。
【０１１０】
また、無線通信システム１では、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。
【０１１１】
また、無線通信システム１では、下りリンクの通信チャネルとして、各ユーザ端末２０で共有される下り共有チャネル（ＰＤＳＣＨ：Physical Downlink Shared Channel）と、下り制御チャネル（ＰＤＣＣＨ：Physical  Downlink  Control  Channel）、ＥＰＤＣＣＨ：Enhanced  Physical  Downlink  Control  Channel）、ＰＣＦＩＣＨ、ＰＨＩＣＨ、報知チャネル（ＰＢＣＨ）などが用いられる。ＰＤＳＣＨにより、ユーザデータや上位レイヤ制御情報が伝送される。ＰＤＣＣＨ、ＥＰＤＣＣＨにより、下り制御情報（ＤＣＩ）が伝送される。
【０１１２】
また、無線通信システム１では、上りリンクの通信チャネルとして、各ユーザ端末２０で共有される各ユーザ端末２０で共有される上り共有チャネル（ＰＵＳＣＨ：Physical  Uplink  Shared  Channel）と、上り制御チャネル（ＰＵＣＣＨ：Physical  Uplink  Control  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）や、送達確認情報（ＡＣＫ/ＮＡＣＫ）等が伝送される。
【０１１３】
以下、マクロ基地局１１及びスモール基地局１２を区別しない場合、無線基地局１０と総称する。なお、態様１−４に係る無線通信方法は、複数のマクロ基地局１１間で適用されてもよいし、複数のスモール基地局１２間で適用されてもよいし、マクロ基地局１１とスモール基地局１２との間で適用されてもよい。
【０１１４】
図３４は、本実施の形態に係る無線基地局１０の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、インタフェース部１０６とを備えている。
【０１１５】
下りリンクにより無線基地局１０からユーザ端末２０に送信されるユーザデータは、上位局装置３０からインタフェース部１０６を介してベースバンド信号処理部１０４に入力される。
【０１１６】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【０１１７】
各送受信部１０３は、ベースバンド信号処理部１０４からアンテナ毎にプリコーディングして出力された下り信号を無線周波数帯に変換する。アンプ部１０２は、周波数変換された無線周波数信号を増幅して送受信アンテナ１０１により送信する。
【０１１８】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【０１１９】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、インタフェース部１０６を介して上位局装置３０に転送される。呼処理部１０５は、通信チャネルの設定や解放等の呼処理や、無線基地局１０の状態管理や、無線リソースの管理を行う。
【０１２０】
インタフェース部１０６は、無線基地局間インタフェース（例えば、Ｘ２インタフェース）を介して隣接無線基地局と信号を送受信する。或いは、インタフェース部１０６は、所定のインタフェースを介して、上位局装置３０と信号を送受信する。
【０１２１】
図３５は、本実施の形態に係る無線基地局１０の機能構成図である。なお、以下の機能構成は、無線基地局１０が有するベースバンド信号処理部１０４などによって構成される。また、図３５では、説明の便宜上、無線基地局１０ａと隣接無線基地局１０ｂとの機能構成を分けて説明するが、一つの無線基地局１０が双方の機能構成を有してもよい。また、無線基地局１０ａ、隣接無線基地局１０ｂは、２つのマクロ基地局１１であってもよいし、２つのスモール基地局１２（例えば、スモール基地局１２ａ、１２ｂ）マクロ基地局１１及びスモール基地局１２（又はスモール基地局１２及びマクロ基地局１１）であってもよい。
【０１２２】
図３５に示すように、無線基地局１０ａは、無線通信部２０１、スケジューリング部２０２、ＵＬ／ＤＬ構成決定部２０３、干渉制御情報決定部２０４（決定部）を具備する。
【０１２３】
無線通信部２０１は、ＵＬ／ＤＬ構成決定部２０３で決定されるＵＬ／ＤＬ構成を用いて、ユーザ端末２０と無線通信を行う。具体的には、無線通信部２０１は、スケジューリング部２０２によるスケジューリング結果に従って、ユーザ端末２０に対する下り信号の送信処理（例えば、符号化、変調など）を行う。また、無線通信部２０１は、ユーザ端末２０からの上り信号の受信処理（例えば、復調、復号など）を行う。
【０１２４】
スケジューリング部２０２は、ユーザ端末２０に対する無線リソースの割当て（スケジューリング）を行う。具体的には、スケジューリング部２０２は、ユーザ端末２０からフィードバック情報（例えば、ＣＱＩ：Channel  Quality  Indicator）に基づいて、ユーザ端末２０に対して無線リソースを割り当てる。なお、無線リソースの割当て結果（スケジューリング結果）は、ＤＣＩとして下り制御チャネル（ＰＤＣＣＨ又はＥＰＤＣＣＨ）により送信されてもよい。
【０１２５】
ＵＬ／ＤＬ構成決定部２０３は、ユーザ端末２０との無線通信に用いられるＵＬ／ＤＬ構成を決定する。ＵＬ／ＤＬ構成決定部２０３は、トラヒック情報などに基づいて、ＵＬ／ＤＬ構成を動的に決定してもよいし（ダイナミックＴＤＤ）、準静的に決定してもよい。決定されたＵＬ／ＤＬ構成は、例えば、下り制御チャネル（ＰＤＣＣＨ、ＥＰＤＣＣＨ）、報知チャネル（ＰＢＣＨ）、ＳＩＢ（System  Information  Block）、ＲＲＣシグナリングなどにより、ユーザ端末２０に通知される。
【０１２６】
干渉制御情報決定部２０４は、ＵＬ／ＤＬ構成における固定サブフレーム及びフレキシブルサブフレームの干渉制御に用いられる干渉制御情報を決定する。具体的には、干渉制御情報決定部２０４は、干渉制御情報として、上述のＩＯＩ（被干渉レベル情報）と基地局間干渉情報（eNB-to-eNB interference indicator）とを決定してもよい（態様１）。
【０１２７】
ここで、基地局間干渉情報は、変動レベル情報（UL  Interference  Fluctuation）（態様１．１）であってもよいし、サブフレーム種別情報（Subframe  Type）（態様１．２）であってもよいし、干渉種別情報（Interference  Type）（態様１．３）であってもよい。決定されたＩＯＩ及び基地局間干渉情報は、負荷情報（LOAD  INFORMATION）メッセージに含められ、インタフェース部１０６から隣接無線基地局１０ｂに送信される。
【０１２８】
また、干渉制御情報決定部２０４は、干渉制御情報として、ＨＩＩ（与干渉レベル情報）と、サブフレーム種別情報（Subframe  Type）と、を決定してもよい（態様２）。決定されたＨＩＩ及びサブフレーム種別情報は、負荷情報（LOAD  INFORMATION）メッセージに含められ、インタフェース部１０６から隣接無線基地局１０ｂに送信される。
【０１２９】
また、干渉制御情報決定部２０４は、干渉制御情報として、ＵＬ／ＤＬ構成情報（Dynamic  TDD  UL-DL-configuration  indicator）を決定してもよい（態様３）。ここで、ＵＬ／ＤＬ構成情報は、ダイナミック割当情報（Dynamic  Subframe  Assignment）（態様３．１）であってもよいし、ダイナックＴＤＤ設定情報（Dynamic  configuration）（態様３．２）であってもよい。決定されたＵＬ／ＤＬ構成情報は、更新通知（ENB  CONFIGURATION  UPDATE）メッセージに含められ、インタフェース部１０６から隣接無線基地局１０ｂに送信される。
【０１３０】
また、干渉制御情報決定部２０４は、干渉制御情報として、ダイナミックＴＤＤサポート情報（Dynamic  TDD、eIMTA  capability  indicator）を決定してもよい（態様４）。決定されたダイナミックＴＤＤサポート情報は、更新通知（ENB  CONFIGURATION  UPDATE）メッセージに含められ、インタフェース部１０６から隣接無線基地局１０ｂに送信される。
【０１３１】
一方、隣接無線基地局１０ｂは、無線通信部３０１、干渉制御部３０２、ＵＬ／ＤＬ構成決定部３０３、スケジューリング部３０４を具備する。
【０１３２】
無線通信部３０１は、ＵＬ／ＤＬ構成決定部３０３で決定されるＵＬ／ＤＬ構成を用いて、ユーザ端末２０と無線通信を行う。具体的には、無線通信部３０１は、スケジューリング部３０４によるスケジューリング結果に従って、ユーザ端末２０に対する下り信号の送信処理（例えば、符号化、変調など）を行う。また、無線通信部３０１は、ユーザ端末２０からの上り信号の受信処理（例えば、復調、復号など）を行う。
【０１３３】
干渉制御部３０２は、無線基地局１０ａからの干渉制御情報に基づいて、ＵＬ／ＤＬ構成における固定サブフレーム及びフレキシブルサブフレームの干渉制御を行う。例えば、干渉制御部３０２は、上述のＩＯＩ（被干渉レベル情報）と基地局間干渉情報（eNB-to-eNB interference indicator）とに基づいて、基地局間干渉が存在するか否かを検出する（態様１）。この場合、干渉制御部３０２は、検出結果に基づいて、ユーザ端末２０に対する下り信号の送信電力を低下させてもよい。
【０１３４】
また、干渉制御部３０２は、上述のＨＩＩ（与干渉レベル情報）とサブフレーム種別情報（Subframe  Type）とに基づいて、無線基地局１０からの干渉が高い無線リソース（例えば、ＰＲＢ）を検出する（態様２）。この場合、干渉制御部３０２は、当該無線リソースにユーザ端末２０を割り当てないようにスケジューリング部３０４に指示してもよい。
【０１３５】
また、干渉制御部３０２は、上述のＵＬ／ＤＬ構成情報（Dynamic  TDD  UL-DL-configuration  indicator）に基づいて、セル間干渉が生じるか否かを検出する（態様３）。この場合、干渉制御部３０２は、無線基地局１０ａと同一のＵＬ／ＤＬ構成を決定するようにＵＬ／ＤＬ構成決定部３０３に指示してもよい。
【０１３６】
また、干渉制御部３０２は、上述のダイナミックＴＤＤサポート情報（Dynamic  TDD）に基づいて、セル間干渉が生じるか否かを検出する（態様３）。この場合、干渉制御部３０２は、自局におけるダイナミックＴＤＤを適用するか否かを変更してもよい。
【０１３７】
ＵＬ／ＤＬ構成決定部３０３は、ユーザ端末２０との無線通信に用いられるＵＬ／ＤＬ構成を決定する。ＵＬ／ＤＬ構成決定部３０３は、干渉制御部３０２からの指示情報や、トラヒック情報などに基づいて、ＵＬ／ＤＬ構成を動的に決定してもよいし（ダイナミックＴＤＤ）、準静的に決定してもよい。決定されたＵＬ／ＤＬ構成は、例えば、下り制御チャネル（ＰＤＣＣＨ、ＥＰＤＣＣＨ）、報知チャネル（ＰＢＣＨ）、ＳＩＢ（System  Information  Block）、ＲＲＣシグナリングなどにより、ユーザ端末２０に通知される。
【０１３８】
スケジューリング部３０４は、ユーザ端末２０に対する無線リソースの割当て（スケジューリング）を行う。具体的には、スケジューリング部３０４は、干渉制御部３０２からの指示情報や、ユーザ端末２０からフィードバック情報（例えば、ＣＱＩ）などに基づいて、ユーザ端末２０に対して無線リソースを割り当てる。なお、無線リソースの割当て結果（スケジューリング結果）は、ＤＣＩとして下り制御チャネル（ＰＤＣＣＨ又はＥＰＤＣＣＨ）により送信されてもよい。
【０１３９】
以上のように、本実施の形態に係る無線通信システム１では、固定サブフレームとフレキシブルサブフレームとの干渉制御に用いられる干渉制御情報が、基地局間インタフェースを介して、無線基地局１０ａから隣接無線基地局１０ｂにシグナリングされる。このため、セル間干渉の影響を軽減できる。
【０１４０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。また、各実施の態様は適宜組み合わせて適用することが可能である。
【符号の説明】
【０１４１】
１…無線通信システム、
１０…無線基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…インタフェース部
２０１…無線通信部
２０２…スケジューリング部
２０３…ＵＬ／ＤＬ構成決定部
２０４…干渉制御情報決定部
３０１…無線通信部
３０２…干渉制御部
３０３…ＵＬ／ＤＬ構成決定部
３０４…スケジューリング部
【図１】
2014236369.tif 000003
【図２】
2014236369.tif 000004
【図３】
2014236369.tif 000005
【図４】
2014236369.tif 000006
【図５】
2014236369.tif 000007
【図６】
2014236369.tif 000008
【図７】
2014236369.tif 000009
【図８】
2014236369.tif 000010
【図９】
2014236369.tif 000011
【図１０】
2014236369.tif 000012
【図１１】
2014236369.tif 000013
【図１２】
2014236369.tif 000014
【図１３】
2014236369.tif 000015
【図１４】
2014236369.tif 000016
【図１５】
2014236369.tif 000017
【図１６】
2014236369.tif 000018
【図１７】
2014236369.tif 000019
【図１８】
2014236369.tif 000020
【図１９】
2014236369.tif 000021
【図２０】
2014236369.tif 000022
【図２１】
2014236369.tif 000023
【図２２】
2014236369.tif 000024
【図２３】
2014236369.tif 000025
【図２４】
2014236369.tif 000026
【図２５】
2014236369.tif 000027
【図２６】
2014236369.tif 000028
【図２７】
2014236369.tif 000029
【図２８】
2014236369.tif 000030
【図２９】
2014236369.tif 000031
【図３０】
2014236369.tif 000032
【図３１】
2014236369.tif 000033
【図３２】
2014236369.tif 000034
【図３３】
2014236369.tif 000035
【図３４】
2014236369.tif 000036
【図３５】
2014236369.tif 000037